(57)【要約】【構成】２台のＨＤＲを接続してタイマ録画をする場合、あらかじめ各ＨＤＲにタイマ予約をしておくと、録画開始時刻である５時になったときに、１台目のＨＤＲはタイマ録画を開始する。録画開始後、ハードディスクの記録可能容量を検知していたメインＣＰＵは、６時に記録可能容量がなくなったことを検知して録画を終了し、２台目のＨＤＲにシリーズ信号を与える。２台目のＨＤＲは、このシリーズ信号が与えられると、あらかじめ設定されているタイマ予約を有効な状態にされる。このため、６時からタイマ録画を開始し、録画終了時刻である８時に終了する。【効果】２台のＨＤＲでタイマ予約によりタイマ録画をする場合でも、録画内容を１台目のＨＤＲから２台目のＨＤＲに引き継いで録画することができる。【選択図】  図２
2004215146.tif 000002
【特許請求の範囲】
【請求項１】
設定済みの記録予約の有効／無効が任意に切り換えられるかつ有効化された記録予約に基づく記録を行なう記録装置において、
記録引継ぎ要求が入力されたとき前記記録予約を有効化する有効化手段、および
記録不可能状態になったとき前記記録引継ぎ要求を別の記録装置に出力する出力手段を備えることを特徴とする、記録装置。
【請求項２】
前記記録不可能状態は記録媒体が満杯となった状態である、請求項１記載の記録装置。
【請求項３】
請求項１または２記載の前記記録装置を複数備える、監視カメラシステム。
【発明の詳細な説明】
【０００１】
【発明の属する技術分野】
この発明は、記録装置に関し、特にたとえば監視カメラシステムの記録装置に適用され、設定済みの記録予約の有効／無効が任意に切り換えられるかつ有効化された記録予約に基づく記録を行なう、記録装置に関する。
【０００２】
【従来技術】
従来の記録装置を２台接続して記録を引き継ぐ装置の一例が特許文献１に開示されている。各記録装置はシリーズ出力端子およびシリーズ入力端子を有し、１台目の記録装置のシリーズ出力端子が２台目の記録装置のシリーズ入力端子に接続されている。そして、１台目の記録装置が、録画中に記録テープの終端を検知すると、シリーズ信号をシリーズ出力端子から２台目の記録装置のシリーズ入力端子に与える。２台目の記録装置は、このシリーズ信号を受け取って録画モードとなり、１台目の記録装置に引き続いて録画を開始する。
【０００３】
【特許文献１】
特開昭６１−２６１８３９号公報
【０００４】
【発明が解決しようとする課題】
しかし、この記録装置は、タイマを使用しない録画（通常録画）を引き継いで、通常録画を継続することはできるが、タイマ予約を引き継いで、タイマ録画を継続することはできないという問題があった。
【０００５】
それゆえに、この発明の主たる目的は、タイマ予約を引き継いでタイマ記録を開始することができる、記録装置を提供することである。
【０００６】
【課題を解決するための手段】
この発明は、設定済みの記録予約の有効／無効が任意に切り換えられるかつ有効化された記録予約に基づく記録を行なう記録装置において、記録引継ぎ要求が入力されたとき記録予約を有効化する有効化手段、および記録不可能状態になったとき記録引継ぎ要求を別の記録装置に出力する出力手段を備えることを特徴とする記録装置である。
【０００７】
【作用】
この記録装置は、外部から記録引継ぎ要求が入力されたときに、有効化手段によってあらかじめ設定されている記録予約を有効化し、この有効化された記録予約に基づいて記録を行なう。また、記録できない状態になったときには、記録引継ぎ要求を別の記録装置に対して出力することにより、別の記録装置の記録予約を有効化して記録を引き継がせる。
【０００８】
この記録装置の記録媒体が満杯になって記録可能容量がなくなったときに、この記録装置に接続された別の記録装置に対して記録引継ぎ要求を出力する。
【０００９】
また、好ましくはこの記録装置を複数備える監視カメラシステムである。
【００１０】
【発明の効果】
この発明によれば、外部からの引継ぎ要求に基づいて、あらかじめ設定されている記録予約を有効化することによって、記録予約を引き継いで記録を開始することができる。
【００１１】
この発明の上述の目的，その他の目的，特徴および利点は、図面を参照して行う以下の実施例の詳細な説明から一層明らかとなろう。
【００１２】
【実施例】
図１を参照して、この監視カメラシステム１０は、監視カメラ１２と、２台のＨＤＲ（Ｈａｒｄ  Ｄｉｓｋ  Ｒｅｃｏｒｄｅｒ）１４ａおよび１４ｂと、モニタ１６とから構成される。監視カメラ１２によって撮影された被写体の画像信号は、ＨＤＲ１４ａおよび１４ｂで圧縮状態で記録されるとともに、伸長状態でモニタ１６に再生される。
【００１３】
まず、ＨＤＲ１４ａの構成およびその動作について説明する。ＨＤＲ１４ａの内部では、デジタルＩ／Ｆ１８ａ、ドライブＩ／Ｆ３２ａ、メインＣＰＵ２４ａ、ＪＰＥＧコーデック３０ａ、メモリＩ／Ｆ３６ａおよびビデオデコーダ２０ａがバス４０ａを介して互いに接続される。デジタルＩ／Ｆ１８ａにはビデオエンコーダ１６ａが接続され、ドライブＩ／Ｆ３２ａにはハードディスク４２ａを内蔵するＨＤＤ３４ａが接続され、メインＣＰＵ２４ａにはサブＣＰＵ２２ａが接続され、そしてメモリＩ／Ｆ３６ａにはＳＤＲＡＭ３８ａが接続される。また、操作パネル２８ａは、サブＣＰＵ２２ａに接続される。さらに、レジスタ２６ａがサブＣＰＵ２２ａとメインＣＰＵ２４ａとの間に接続される。
【００１４】
次に、このＨＤＲ１４ａで画像信号を録画する場合について説明する。外部から入力されたアナログ画像信号は、ビデオエンコーダ１６ａによって輝度信号であるＹ信号と、色差信号であるＵ信号およびＶ信号に変換され、変換されたＹ信号、Ｕ信号およびＶ信号はデジタルＩ／Ｆ１８ａに与えられる。デジタルＩ／Ｆ１８ａは、これらのＹ信号、Ｕ信号およびＶ信号をデジタル画像信号に変換し、バス４０ａを介してメモリＩ／Ｆ３６ａに与える。メモリＩ／Ｆ３６ａは、与えられたこの画像信号をＳＤＲＡＭ３８ａに書き込む。
【００１５】
次に、ＪＰＥＧコーデック３０ａは、メインＣＰＵ２４ａから圧縮命令を受けると、メモリＩ／Ｆ３６ａに対してＳＤＲＡＭ３８ａに記憶されている画像信号の読み出しを要求し、メモリＩ／Ｆ３６ａによって読み出された画像信号をＪＰＥＧ方式で圧縮する。
【００１６】
ＪＰＥＧコーデック３０ａは画像信号を圧縮した後、メモリＩ／Ｆ３６ａに対してこの圧縮画像信号の書き込みを要求し、メモリＩ／Ｆ３６ａは圧縮画像信号をＳＤＲＡＭ３８ａに書き込む。
【００１７】
次に、ドライブＩ／Ｆ３２ａは、メインＣＰＵ２４ａから記録命令を受けると、メモリＩ／Ｆ３６ａに対して圧縮画像信号の取り出しを要求し、メモリＩ／Ｆ３６ａによってＳＤＲＡＭ３８ａから取り出された圧縮画像信号をＨＤＤ３４ａに与える。ＨＤＤ３４ａは、与えられた圧縮画像信号をハードディスク４２ａに記録する。
【００１８】
また、操作パネル２８ａには録画キー、録画ストップキー、タイマキー、タイマストップキーなどのキー（図示しない）が配置されている。ユーザがこれらのキーを押すと、その情報はサブＣＰＵ２２ａを介してメインＣＰＵ２４ａに与えられる。ここで、録画キー、録画ストップキーは、それぞれ通常録画を開始し、または通常録画を中止するためのキーであり、タイマキー、タイマストップキーは、それぞれタイマ予約を有効な状態にするキー、タイマ予約の有効な状態を解除するキーである。なお、録画開始時刻、録画終了時刻などのタイマ予約に必要な情報も操作パネル２８ａから入力することができ、これらの情報はサブＣＰＵ２２ａを介してレジスタ２６ａに格納される。
【００１９】
メインＣＰＵ２４ａは、時計回路４４ａを内蔵している。そして、メインＣＰＵ２４ａは、タイマ予約が有効な状態になっているときには、この時計回路４４ａの示す時刻がレジスタ２６ａに格納されている録画開始時刻になると、上述の説明にしたがって画像信号の録画を開始する。また、時計回路４４ａの示す時刻が録画終了時刻になると、録画を終了する。一方、メインＣＰＵ２４ａは、タイマ予約が無効な状態になっているときには、時計回路４４ａの示す時刻がレジスタ２６ａに格納されている録画開始時刻になっても、画像信号の録画を開始しない。
【００２０】
さらに、メインＣＰＵ４４ａは、ハードディスク４２ａの記録可能容量を検知して、記録可能容量がなくなると、タイマ録画を終了させる。その後、メインＣＰＵ４４ａはシリーズ出力端子Ｓ２ａから、次段に接続されているＨＤＲ１４ｂに対して録画を開始するように指示するシリーズ信号を出力させる。なお、ＨＤＲ１４ａの前段にはＨＤＲは接続されていないので、ＨＤＲ１４ａにシリーズ信号が入力されることはない。このため、シリーズ入力端子Ｓ１ａには何も接続されていない。
【００２１】
次に、ＨＤＲ１４ａに記録されている圧縮画像信号を再生する場合について説明する。まず、ドライブＩ／Ｆ３２ａは、メインＣＰＵ２４ａから圧縮画像信号の読出し命令を受けると、ＨＤＤ３４ａを制御してハードディスク４２ａから圧縮画像信号を読み出す。次に、メモリＩ／Ｆ３６ａはハードディスク４２ａから読み出された圧縮画像信号をＳＤＲＡＭ３８ａに書き込む。
【００２２】
次に、ＪＰＥＧコーデック３０ａは、メインＣＰＵ４４ａからの伸長命令を受けて、圧縮画像信号の読出しをメモリＩ／Ｆ３６ａに要求し、ＳＤＲＡＭ３８ａに書き込まれている圧縮画像信号を取り込む。そして、取り込んだ圧縮画像信号をＪＰＥＧ方式にしたがって伸長する。伸長された画像信号は再びメモリＩ／Ｆ３６ａに与えられ、メモリＩ／Ｆ３６ａによってＳＤＲＡＭ３８ａに書き込まれる。
【００２３】
さらに、ビデオデコーダ２０ａは、メモリＩ／Ｆ３６ａに対して伸長画像信号の取出しを要求し、メモリＩ／Ｆ３６ａによってＳＤＲＡＭ３８ａから取り出された伸長画像信号を受け取って、コンポジット画像信号にエンコードした後、モニタ１６の画面に表示する。
【００２４】
なお、この実施例では、画像信号をＪＰＥＧ方式で圧縮／伸長するＪＰＥＧコーデック３０ａを用いて説明したが、ＪＰＥＧコーデック３０ａのかわりにＪＰＥＧ２０００方式で圧縮／伸長するＪＰＥＧ２０００コーデックを用いてもよい。
【００２５】
次に、ＨＤＲ１４ｂについて説明する。ＨＤＲ１４ｂは、ＨＤＲ１４ａと構成、動作ともにほとんど同じであるため、参照番号に付された符号を“ａ”から“ｂ”に置換することによって重複した説明を省略する。なお、ＨＤＲ１４ｂでは、前段にＨＤＲ１４ａが接続されているので、ＨＤＲ１４ａからＨＤＲ１４ｂのサブＣＰＵ２２ｂの入力端子Ｓ１ｂにシリーズ信号が入力されると、ＨＤＲ１４ｂのメインＣＰＵ２４ｂはこのシリーズ信号を受け取る。そして、メインＣＰＵ２４ｂは、ＨＤＲ１４ａからタイマ予約を引き継いでタイマ録画を開始するよう制御する。
【００２６】
次に、上述のＨＤＲ１４ａとＨＤＲ１４ｂとを接続した場合について説明する。図１を参照して、１台目のＨＤＲ１４ａのサブＣＰＵ２２ａに設けられたシリーズ出力端子Ｓ２ａと、２台目のＨＤＲ１４ｂのサブＣＰＵ２２ｂに設けられたシリーズ入力端子Ｓ１ｂとが接続線で接続されている。
【００２７】
ＨＤＲ１４ａおよび１４ｂには、操作パネル２８ａおよび２８ｂから録画開始時刻、録画終了時刻などのタイマ予約に必要な情報がそれぞれ入力される。ＨＤＲ１４ａの時計回路４４ａの示す時刻が録画開始時刻になったとき、ＨＤＲ１４ａは録画を開始する。メインＣＰＵ２４ａがハードディスク４２ａの記録可能容量がなくなったことを検知すると、タイマ予約を引き継ぐシリーズ信号が、サブＣＰＵ２２ａに設けられたシリーズ出力端子Ｓ２ａから、ＨＤＲ１４ｂのサブＣＰＵ２２ｂに設けられたシリーズ入力端子Ｓ１ｂに与えられる。
【００２８】
メインＣＰＵ２２ｂは、このシリーズ信号を受け取ることによってタイマ予約を有効な状態にした後、ＨＤＲ１４ａからタイマ予約を引き継いでタイマ録画を開始する。そして、メインＣＰＵ２４ｂは、時計回路４４ｂの示す時刻がレジスタ２６ｂに格納されている録画終了時刻になったときに、タイマ録画を終了する。
【００２９】
ビデオエンコーダ１６ａおよび１６ｂには、監視カメラ１２によって撮影された被写体の画像信号がそれぞれ直接入力される。また、ＨＤＲ１４ａおよび１４ｂのビデオデコーダ２０ａおよび２０ｂにはモニタ１６が接続されているので、ＨＤＲ１４ａおよび１４ｂが再生した画像をこのモニタ１６で視聴することができる。
【００３０】
図２を参照して、ＨＤＲ１４ａおよび１４ｂを用いてタイマ予約によるタイマ録画の引継ぎを行なう場合の概要について説明する。なお、この例では録画時刻は５時から８時までの３時間とする。
【００３１】
ユーザは、４時に操作パネル２８ａ、２８ｂからＨＤＲ１４ａおよび１４ｂに対して、録画開始時刻を５時、録画終了時刻を８時としてそれぞれタイマ予約をする。この録画開始時刻および録画終了時刻は、ＨＤＲ１４ａのレジスタ２６ａに格納される。また、録画開始時刻および録画終了時刻は、ＨＤＲ１４ｂのレジスタ２６ｂにも格納される。なお、ＨＤＲ１４ａのハードディスク４２ａは、１時間分の記録可能容量を有しているとする。
【００３２】
ＨＤＲ１４ａにあらかじめ設定されているタイマ予約が有効な状態にされていれば、メインＣＰＵ２４ａに内蔵されている時計回路４４ａが５時になったとき、ＨＤＲ１４ａはタイマ録画を開始する。タイマ録画が開始されると、メインＣＰＵ２４ａはハードディスク４２ａの記録可能容量を検知し続ける。６時に記録可能容量がなくなると、メインＣＰＵ２４ａは、タイマ録画を終了させて、ＨＤＲ１４ｂのサブＣＰＵ２２ｂを介してメインＣＰＵ２４ｂにシリーズ信号を与える。
【００３３】
ＨＤＲ１４ｂのメインＣＰＵ２４ｂは、このシリーズ信号を受け取ることによって、あらかじめ設定されていたタイマ予約を有効な状態にして、ＨＤＲ１４ａのタイマ録画が終了した６時からタイマ予約を引き継いでタイマ録画を開始する。そして、時計回路４４ｂが録画終了時刻である８時になったときに録画を終了する。
【００３４】
このようにして、タイマ予約が引き継がれるので、全体で３時間分の録画内容のうち、最初の１時間分はＨＤＲ１４ａに録画され、残り２時間分はＨＤＲ１４ｂに録画される。
【００３５】
メインＣＰＵ２４ａおよび２４ｂの各々は、具体的には図３および図４に示すフロー図に従う処理を実行する。
【００３６】
ステップＳ１で、初期設定を行なう。具体的には、ＨＤＲの操作パネル２８ａ（または２８ｂ）から入力された録画開始時刻、録画終了時刻などのタイマ予約に必要な情報をレジスタ２６ａ（または２６ｂ）に格納する。
【００３７】
次に、ステップＳ３で、タイマ待機オフの状態にする。すなわち、録画開始時刻になっても録画を開始しないように、タイマ予約を無効の状態にする。
【００３８】
そして、ステップＳ５で、ユーザによって操作パネル２８ａ（または２８ｂ）の録画キーが押されたかどうかを確認する。録画キーが押された場合には、通常録画（タイマ録画ではない録画）モードになる。この場合のフローについては、後述する。
【００３９】
一方、録画キーが押されていない場合には、ステップＳ７で、シリーズ入力端子Ｓ１ａ（またはＳ１ｂ）にシリーズ信号が入力されたかどうかを判断する。ここで、シリーズ信号が入力されない場合は、ステップＳ９で、タイマキーが押されているかどうかを判断する。タイマキーが押されていない場合は、ステップＳ５に戻る。
【００４０】
一方、タイマキーが押されている場合は、ステップＳ１１で、タイマ録画設定の有無を判断する。具体的には、記録開始時刻および記録終了時刻などのタイマ予約に必要な情報がレジスタ２６ａ（または２６ｂ）に格納されているかどうかを判断する。その結果、タイマ録画設定がされていない場合には、ステップＳ５に戻る。タイマ録画設定がされている場合には、ステップＳ１３でタイマ待機オン状態、すなわちステップＳ１で設定されたタイマ予約が有効な状態にされる。
【００４１】
一方、ステップＳ７で、シリーズ入力端子Ｓ１ａ（またはＳ１ｂ）にシリーズ信号が入力されたかどうかを判断する。そして、シリーズ信号の入力があった場合には、ステップＳ１５でタイマ録画設定の有無を判断する。具体的には、記録開始時刻および記録終了時刻などのタイマ予約に必要な情報がレジスタ２６ａ（または２６ｂ）に格納されているかどうかを判断する。その結果、タイマ録画設定されていると判断された場合、タイマ予約を引き継いでタイマ録画をするために、ステップＳ１３でタイマ待機オン状態に移行する。一方、タイマ録画設定されていないと判断される場合、通常録画モードに切り換えてステップＳ３９で通常録画を開始する。
【００４２】
次に、ステップＳ１７で、タイマ録画を強制終了させるタイマストップキーが押されているかどうかを判断し、押されている場合には、ステップＳ１９でタイマ録画しない状態を継続またはタイマ録画を終了する。さらに、ステップＳ２１でタイマ予約を無効な状態にするためタイマ待機オフ状態にした後、ステップＳ５に戻る。一方、タイマストップキーが押されていない場合には、ステップＳ２３で、時計回路４４ａ（または４４ｂ）の示す時刻がタイマ予約を設定した期間中であるかどうかを判断する。そして、タイマ予約を設定していない期間中である場合には、ステップＳ２５でタイマ録画を終了またはタイマ録画をしない状態を継続し、ステップＳ５に戻る。
【００４３】
一方、タイマ予約を設定した期間中である場合には、ステップＳ２７でタイマ録画を開始または継続して行なう。次に、ハードディスク４２ａ（または４２ｂ）の記録可能容量の有無を判断する。記録可能容量がまだ残っている場合には、ステップＳ１７に戻ってタイマ録画を継続する。一方、ハードディスク４２ａ（または４２ｂ）が満杯になって記録可能容量がなくなった場合には、ステップＳ３１でタイマ録画を終了させ、さらにステップＳ３３でタイマ予約を無効な状態にするため、タイマ待機オフ状態にする。そして、ステップＳ３５でシリーズ出力端子Ｓ２ａ（またはＳ２ｂ）からシリーズ信号を出力する。その後、ステップＳ３７でハードディスク４２ａ（または４２ｂ）の記録領域に記録可能容量が確保できるまで待ち、記録可能容量が確保できた場合にはステップＳ５に戻る。
【００４４】
なお、ＨＤＲ１４ａの前段にはＨＤＲが接続されていないため、シリーズ入力端子Ｓ１ａにシリーズ信号が入力されることはない。したがって、ステップＳ７でＹＥＳと判断されることはなく、常にステップＳ９に進む。
【００４５】
図３に示すステップＳ５でＹＥＳと判断されるか、ステップＳ１５でＮＯと判断されると、通常録画のために図４に示すステップ３９に移行する。ステップＳ４１では、通常録画を強制終了させる録画ストップキーが押されたかどうかを判断し、録画ストップキーが押された場合には、ステップＳ４５で、通常録画を終了させて、ステップＳ５に戻る。
【００４６】
一方、録画ストップキーが押されていない場合には、ステップＳ４３でハードディスクの記録可能容量の有無を判断する。その結果、記録可能容量がまだある場合にはステップＳ４１に戻って録画を継続する。また、記録可能容量がなくなった場合にはステップＳ４７で通常録画を終了し、さらにステップＳ３５に戻って、シリーズ信号を次段のＨＤＲに与える。
【００４７】
なお、上述の実施例では２台のＨＤＲを接続する場合について説明したが、さらにもっと多くのＨＤＲを同様にして順次接続して、タイマ予約を引き継いでタイマ録画を行なわせるようにしてもよい。このようにすることにより、タイマ録画時刻を大幅に延ばすことができる。
【００４８】
以上の説明からわかるように、この記録装置であるＨＤＲ１４ａでは、外部から記録引継ぎ要求であるシリーズ信号がサブＣＰＵ２２ａを介してメインＣＰＵ２４ａに入力されたときに、メインＣＰＵ２４ａはあらかじめレジスタ２６ａに設定されているタイマ予約情報を有効な状態にし、このタイマ予約に基づいて記録を開始する。また、記録ができなくなったときには、メインＣＰＵ２４ａはシリーズ信号をＨＤＲ１４ｂに出力して、レジスタ２６ｂに記録されているタイマ予約情報を有効な状態にする。このことにより、メインＣＰＵ２４ａはメインＣＰＵ２４ｂにタイマ記録を引き継ぐことができる。
【００４９】
ＨＤＲ１４ａのハードディスク４２ａが満杯になって記録可能容量がなくなったときは、ＨＤＲ１４ｂに対して記録引継ぎ要求であるシリーズ信号を出力する。なお、記録媒体としては、半導体メモリでもよい。
【００５０】
好ましくは、このＨＤＲ１４ａを複数備える監視カメラシステム１０である。
【図面の簡単な説明】
【図１】
この発明の一実施例を示すブロック図である。
【図２】図１実施例のタイミングチャートを示す図解図である。
【図３】図１実施例の動作の一部を示すフロー図である。
【図４】図１実施例の動作の他の一部を示すフロー図である。
【符号の説明】
１４ａ、１４ｂ…ＨＤＲ
２２ａ、２２ｂ…サブＣＰＵ
２４ａ、２４ｂ…メインＣＰＵ
２６ａ、２６ｂ…レジスタ
２８ａ、２８ｂ…操作パネル
４２ａ、４２ｂ…ハードディスク
４４ａ、４４ｂ…時計回路
【図１】
2004215146.tif 000003
【図２】
2004215146.tif 000004
【図３】
2004215146.tif 000005
【図４】
2004215146.tif 000006